(57)【要約】【課題】大小径の異なるディスクに対応し、且つ装置全体の更なる小型化、軽量化、薄型化等の要求に応えるディスクドライブ装置を提供する。【解決手段】装置本体３と、ディスク装着部２７と、ディスク回転駆動機構６０と、光ピックアップ機構６１と、ピックアップ移動機構６２とがベースフレーム６３に一体に設けられた光ピックアップユニット５と、光ピックアップユニット５をディスク状記録媒体２の厚さ方向に移動自在に支持するピックアップユニット昇降機構６と、ディスク状記録媒体２の一主面と当接することによりディスク状記録媒体２を搬送する搬送ローラ２０を備えたディスク搬送機構４と、大小径の異なるディスク状記録媒体２をディスク回転駆動機構６０に係合可能な位置へガイドするディスクセンタリング機構７とを備え、光ピックアップユニット５、ピックアップユニット昇降機構６、ディスク搬送機構４及びディスクセンタリング機構７は、ディスク状記録媒体２の片方の面側に配置されている。【選択図】図４
2005267806.tif 000002
【特許請求の範囲】
【請求項１】
前面側にディスク状記録媒体が挿入又は排出されるディスク挿脱口が形成された略矩形状の装置本体と、
上記ディスク挿脱口から上記装置本体内に挿入された上記ディスク状記録媒体が装着されるディスク装着部と、上記ディスク装着部に装着された上記ディスク状記録媒体を回転駆動するディスク回転駆動機構と、上記ディスク回転駆動機構により回転駆動された上記ディスク状記録媒体に対して情報信号の記録及び／又は再生を行う光ピックアップ機構と、上記光ピックアップ機構を上記ディスク状記録媒体の径方向へ移動させるピックアップ移動機構とがベースフレームに一体に設けられた光ピックアップユニットと、
上記光ピックアップユニットを上記ディスク状記録媒体の厚さ方向に移動自在に支持し、上記ディスク状記録媒体が装置本体内に搬送されると上記光ピックアップユニットを上記ディスク状記録媒体側へ移動させて上記ディスク回転駆動機構に上記ディスク状記録媒体を保持させ、また上記ディスク状記録媒体の排出時には上記光ピックアップユニットを上記ディスク状記録媒体と離間する方向へ移動させて上記ディスク回転駆動機構と上記ディスク状記録媒体との係合を解除させるピックアップユニット昇降機構と、
上記装置本体の上記ディスク挿脱口が設けられた前面側に設けられ、上記ディスク状記録媒体の搬送方向と直交する方向に延設され上記ディスク状記録媒体の一主面と当接することにより、上記ディスク状記録媒体が挿脱される上記ディスク挿脱口と上記ディスク装着部との間に亘って搬送する搬送ローラを備えたディスク搬送機構と、
大小径の異なるディスク状記録媒体を上記ディスク回転駆動機構に係合可能な位置へガイドするディスクセンタリング機構とを備え、
上記光ピックアップユニット、ピックアップユニット昇降機構、ディスク搬送機構及びディスクセンタリング機構は、上記ディスク状記録媒体の片方の面側に配置されていることを特徴とするディスクドライブ装置。
【請求項２】
上記搬送ローラは、上記大径のディスク状記録媒体の直径よりも短く形成されていることを特徴とする請求項１記載のディスクドライブ装置。
【請求項３】
上記ディスクセンタリング機構は、上記ディスク装着部を挟んで上記ディスク状記録媒体の搬送方向の左右両側に上記ディスク状記録媒体の搬送方向へ互いに同期して回動自在に設けられた左右一対の回動アームと、上記回動アームの先端部にそれぞれ突設され上記ディスク挿脱口から挿入される上記ディスク状記録媒体の側面が当接される当接部とを有し、該当接部が上記ディスク状記録媒体に押圧されることにより、該ディスク状記録媒体の径に応じた長さ分だけ回動される回動レバーと、
上記回動レバーの少なくとも何れか一方と係合され、上記回動レバーが回動されると、上記ディスク状記録媒体の径に応じた回動量に対応して移動する移動プレートと、
上記回動レバーよりも上記装置本体の背面側に設けられ、上記ディスク装着部を挟んで上記ディスク状記録媒体の搬送方向の左右両側に上記ディスク状記録媒体の搬送方向へ互いに同期して回動自在に設けられ、先端部にそれぞれ突設され上記ディスク状記録媒体の側面が当接されることにより上記ディスク状記録媒体の搬送を停止させるストッパ部を有し、上記移動プレートと係合されることにより上記移動プレートの移動量に応じて回動され、挿入された上記ディスク状記録媒体の径に応じた停止位置に上記ストッパ部が位置されるストッパアームとを備えることを特徴とする請求項１記載のディスクドライブ装置。
【請求項４】
上記光ピックアップユニットは、上記ベースフレームが上記装置本体の略中央部から背面側の一コーナ部にかけて配置され、該ベースフレームに支持された上記光ピックアップ機構が上記装置本体の当該略中央部から背面側の当該一コーナ部に亘って移動可能に支持されていることを特徴とする請求項１記載のディスクドライブ装置。
【請求項５】
上記装置本体の背面側の他のコーナ部には、当該背面部に設けられた開口部から外部に臨むコネクタが取り付けられた回路基板が配置されていることを特徴とする請求項４記載のディスクドライブ装置。
【請求項６】
上記大小径の異なるディスク状記録媒体の  外径は、それぞれ１２ｃｍ、８ｃｍであることを特徴とする請求項１記載のディスクドライブ装置。
【発明の詳細な説明】
【技術分野】
【０００１】
本発明は、ディスク状記録媒体に対して情報信号の記録及び／又は再生を行うディスクドライブ装置に関し、特にディスク挿脱口からディスク状記録媒体を直接挿入し、また排出することができるスロットイン型のディスクドライブ装置に関する。
【背景技術】
【０００２】
従来よりディスク状記録媒体としては、ＣＤ(Compact Disk)やＤＶＤ(Digital Versatile Disk)といった光ディスクやＭＤ(Mini Disk)等の光磁気ディスクが広く知られており、これらディスクに対応した各種のディスクドライブ装置が提供されている。
【０００３】
ディスクドライブ装置には、筐体に設けられた蓋や扉を開放し、そこから臨むターンテーブルにディスクを直接装着するタイプ、装置本体の内外に亘って水平方向に搬送されるディスクトレイにディスクを載置することで、ディスクトレイが装置本体内に引き込まれた際にディスクが装置本体内に設けられたターンテーブルに自動的に装着されるタイプ、あるいはこのディスクトレイにターンテーブルが一体に設けられ、ディスクトレイが装置本体外へ搬送された際にターンテーブルへディスクを直接装着するタイプ等がある。しかし、何れのタイプも操作者にとって、蓋や扉を開閉したり、ディスクトレイを出し入れしたり、あるいはターンテーブルにディスクを装着するといった操作を必要としている。
【０００４】
これに対して、装置本体の前面に設けられたディスク挿脱口からディスクを挿入するだけでディスクが自動的に装置本体内へ引き込まれターンテーブルに装着される、いわゆるスロットイン型のディスクドライブ装置がある。このディスクドライブ装置は、ディスク挿脱口の近傍に、挿入されるディスクの主面を挟んで搬送ローラ及び支持突起が対向配置された搬送ローラユニット部が形成されている。そして、ディスク挿脱口からディスクが挿入されると、搬送ローラユニット部は、ディスクを挟み込みながら搬送ローラが回転される。これにより、このディスクドライブ装置は、ディスク挿脱口から挿入されたディスクを装置本体の内部へと引き込むローディング動作を行う。また、同様にしてディスク挿脱口から装置本体外へディスクを排出するイジェクト動作を行う。
【０００５】
ところで、上述したディスクドライブ装置には、パソコンやゲーム機器等のホスト機器筐体に設けられたドライブベイに搭載され、ホスト機器側から駆動電源が供給されてホスト機器と一体に用いられるものがある。このようなホスト機器のうち、例えばノートブック型パソコン等の携帯可能なホスト機器においては、更なる小型化、軽量化、薄型化が求められており、それに伴ってかかるホスト機器に搭載されるディスクドライブ装置にも小型化、軽量化、薄型化の要求が高まっている。
【０００６】
また、ディスクの規格や記録容量等に応じて、例えば標準の直径１２ｃｍのディスクに加え、カムコーダ等に用いられる直径８ｃｍのディスクといった外径の異なる複数のディスクが提供されていることから、パソコン等に搭載されるディスクドライブ装置においては何れのディスクにも対応できることが要求されている。
【０００７】
ここで、上述したスロットイン型のディスクドライブ装置では、ディスクをターンテーブルに装着する際、図２８に示すように、ディスクの中心孔に係合される係合凸部が設けられたターンテーブル及び、ターンテーブルと対向する位置に上下方向に回動自在に配置されたクランプ部材のクランパによって、ディスクの中心部を挟み込むことによりチャッキングする。
【０００８】
このクランプ部材は、コイルバネのバネ力によって常時ディスクをターンテーブル側へ押圧する方向へ付勢されるとともに、ロック機構によって回動が規制され、ディスクの搬送領域上へ退避されている。そしてクランプ部材は、ディスクが挿入されるとロック機構が解除され、コイルバネのバネ力によりターンテーブル側へ回動される。これにより、ディスクをクランパ及びターンテーブルによってディスクを挟み込み、ディスクのチャッキングを行う。そして、クランパがディスクの中心部を抑えながらターンテーブルが回転駆動されることによりディスクを回転させる。
【０００９】
このように、コイルバネを用いてディスクを挟み込んでクランプするディスクドライブ装置において、クランプ部材は、ディスクの挿入、排出時には、ディスクの搬送の障害とならないよう予めディスク搬送領域の上方に退避させる必要がある。このため、かかるディスクドライブ装置は、ターンテーブルの上方にクランプ部材が退避するスペースを確保する必要があり、装置本体の薄型化を図ることが困難となる。
【００１０】
また、上述したスロットイン型のディスクドライブ装置では、搬送ローラの長さがディスクの直径よりも長くなることから、装置全体の幅方向の寸法が長くなる。このため、従来のスロットイン型のディスクドライブ装置では、小型化や薄型化に非常に不利であった。
【００１１】
一方、小型化や薄型化が可能なスロットイン型のディスクドライブ装置として、光学ディスクと平行な面内で互いに協働しながら回動される複数の回動アームによって、ディスク挿脱口から挿入された光学ディスクを筐体の内部へと引き込むローディング動作と、光学ディスクをディスク挿脱口から筐体の外部へと排出するイジェクト動作とを行うディスクドライブ装置が提案されている（特許文献１）。
【００１２】
しかしながら、例えば特許文献１に記載されるディスクドライブ装置では、１２ｃｍの大径ディスクのみに対応されたローディング機構であり、８ｃｍ等の小径ディスクに対応していない。また、かかる揺動方式で小径ディスクにも対応させたローディング機構を形成すると、部品点数が多くなり、動作信頼性、コスト等の面で不利となり、更なる小型化、軽量化、薄型化の要求に応えることは困難である。
【００１３】
また、かかる揺動方式では、操作者がディスクをある程度装置本体の奥まで挿入しなければならず、使い勝手が悪い。上記特許文献１記載の方式においては、ディスクの挿入方向に対してディスクの後端部を押し入れる機構となっているため、図２９に示すように、ディスク径の半分以上を装置本体内に挿入しなければ自動引き込みを開始しない。
【００１４】
さらに、操作者の手でディスクを装置本体の奥まで挿入する必要があることから、ディスクが引き込み方向に対して傾いて挿入されるおそれが多く、ディスクと装置本体内の構成部材とが接触し、ディスク表面に傷が付く可能性も高い。
【００１５】
【特許文献１】特開２００２−１１７６０４号公報
【発明の開示】
【発明が解決しようとする課題】
【００１６】
そこで、本発明は、このような従来の事情に鑑みて提案されたものであり、大小径の異なるディスクに対応し、且つ装置全体の更なる小型化、軽量化、薄型化等の要求に応えるため、ディスクをローラによって搬送すると共に、クランプ部材を用いずにディスクとターンテーブルとのチャッキングを行うディスクドライブ装置を提供するを目的とする。
【課題を解決するための手段】
【００１７】
上述した課題を解決するために、本発明にかかるディスクドライブ装置は、前面側にディスク状記録媒体が挿入又は排出されるディスク挿脱口が形成された略矩形状の装置本体と、上記ディスク挿脱口から上記装置本体内に挿入された上記ディスク状記録媒体が装着されるディスク装着部と、上記ディスク装着部に装着された上記ディスク状記録媒体を回転駆動するディスク回転駆動機構と、上記ディスク回転駆動機構により回転駆動された上記ディスク状記録媒体に対して情報信号の記録及び／又は再生を行う光ピックアップ機構と、上記光ピックアップ機構を上記ディスク状記録媒体の径方向へ移動させるピックアップ移動機構とがベースフレームに一体に設けられた光ピックアップユニットと、上記光ピックアップユニットを上記ディスク状記録媒体の厚さ方向に移動自在に支持し、上記ディスク状記録媒体が装置本体内に搬送されると上記光ピックアップユニットを上記ディスク状記録媒体側へ移動させて上記ディスク回転駆動機構に上記ディスク状記録媒体を保持させ、また上記ディスク状記録媒体の排出時には上記光ピックアップユニットを上記ディスク状記録媒体と離間する方向へ移動させて上記ディスク回転駆動機構と上記ディスク状記録媒体との係合を解除させるピックアップユニット昇降機構と、上記装置本体の上記ディスク挿脱口が設けられた前面側に設けられ、上記ディスク状記録媒体の搬送方向と直交する方向に延設され上記ディスク状記録媒体の一主面と当接することにより、上記ディスク状記録媒体が挿脱される上記ディスク挿脱口と上記ディスク装着部との間に亘って搬送する搬送ローラを備えたディスク搬送機構と、大小径の異なるディスク状記録媒体を上記ディスク回転駆動機構に係合可能な位置へガイドするディスクセンタリング機構とを備え、上記光ピックアップユニット、ピックアップユニット昇降機構、ディスク搬送機構及びディスクセンタリング機構は、上記ディスク状記録媒体の片方の面側に配置されている。
【発明の効果】
【００１８】
このようなディスクドライブ装置によれば、ディスク搬送機構、光ピックアップユニット、ピックアップユニット昇降機構、及びディスクセンタリング機構がディスク状記録媒体を介して装置本体の一方側に搭載されている。また、ディスク状記録媒体を搬送ローラによって搬送する方式を採用するとともにクランプ部材を用いることなくディスク状記録媒体をディスク装着部へチャッキングするものである。したがって、径の異なるディスク状記録媒体に適応でき、また装置本体の小型化、軽量化、薄型化の要求に応えることができる。
【発明を実施するための最良の形態】
【００１９】
以下、本発明が適用されたディスクドライブ装置について図面を参照しながら詳細に説明する。このディスクドライブ装置１は、図１及び図２に示すように、例えばノートブック型パソコン等のホスト機器のドライブベイに搭載された厚さ１２．７ｍｍのスロットイン型ディスクドライブ装置であり、ノートブック型パソコンに搭載されることにより当該ノートブック型パソコンと一体となって駆動されて、ＣＤ(Compact Disk)やＤＶＤ(Digital Versatile Disk)等の光ディスク２に対して情報信号の記録及び／又は再生を行うことが可能となっている。
【００２０】
また、ディスクドライブ装置１は、大小径の異なる光ディスク２のいずれにも対応可能に形成され、図３に示すように、例えば直径が１２ｃｍの光ディスク２Ｌと直径が８ｃｍの光ディスク２Ｓが装着され、情報信号の記録及び／又は再生を行う。
【００２１】
このディスクドライブ装置１は、装置本体を構成する外筐体３と、外筐体３内に挿入された光ディスク２を外筐体３の内外に亘って搬送するディスク搬送機構４と、ディスク搬送機構４によって搬送される光ディスク２が装着されるとともにこの光ディスク２に対して情報信号の記録及び／又は再生を行う光ピックアップユニット５と、光ピックアップユニット５と光ディスク２と係合させるピックアップユニット昇降機構６と、光ディスク２を光ピックアップユニット５のディスク装着部にガイドするディスクセンタリング機構７とを備える。
【００２２】
ディスクドライブ装置１の外筐体３は、図２に示すように、後述するディスクドライブ装置１の構成部材が組み付けられるボトムケース１０と、このボトムケース１０の上面を覆うトップカバー１１とを有する。
【００２３】
トップカバー１１は、比較的薄い板金がボトムケース１０の上部開口部を閉塞する天板部１１ａを形成すると共に、この天板部１１ａの周囲がボトムケース１０の両側面及び背面に沿って僅かに折り曲げられた形状を有している。天板部１１ａの略中央部には、略円形状の開口部１２が形成されている。この開口部１２は、後述するチャッキング動作時に光ディスク２の中心孔２ａに係合されるターンテーブル２８の係合突部２８ａを外部に臨ませるためのものであり、この開口部１２の周囲は、ターンテーブル２８上に保持された光ディスク２の中心孔２ａの周囲と当接されるように、筐体３の内部に向かって僅かに突出した当接突部１３を形成している。
【００２４】
ボトムケース１０は、図４に示すように、下部筐体として全体が略扁平箱状に形成された板金からなり、その底面部１４は、略矩形状であり、一方の側面部１０ａには、この底面部１４よりも底上げされて外側へと張り出したデッキ部１５が設けられている。デッキ部１５は、図５に示すように、ボトムケース１０の厚さＴ１の略半分程度、底面部１４より底上げされ、ボトムケース１４の厚さＴ１の半分程度の厚さＴ２を有する。そして、大径の光ディスク２Ｌは、ディスク装着位置に搬送されることにより、一部がこのデッキ部１５上に配設される。
【００２５】
ボトムケース１０の底面部には、外筐体３の各部の駆動制御を行う駆動制御回路が構成された回路基板１６が配置されている。この回路基板１６は、ボトムケース１０の一側面部１０ａ側に背面側から前面側にかけて底面部にネジ止めされることにより取り付けられている。回路基板１６上には、上記駆動制御回路を構成するＩＣチップ等の電子部品や、上記ノートブック型パソコンの装置本体との電気的な接続を図るためのコネクタ１７等が配置されている。このうち、コネクタ１７は、図４に示すように、ボトムケース１０の背面に形成された開口部１８から外部に臨むように回路基板１６上に取り付けられている。
【００２６】
この外筐体３の前面には、図２及び図４に示すように、略矩形平板状のフロントパネル２０が取り付けられている。このフロントパネル２０には、光ディスク２が水平方向に出し入れされるディスク挿脱口２１が設けられている。すなわち、光ディスク２は、このディスク挿脱口２１から外筐体３の内部へと挿入し、或いはこのディスク挿脱口２１から外筐体３の外部へと排出したりすることが可能となっている。また、フロントパネル２０の前面には、光ディスク２に対するアクセス状態を点灯表示する表示部２２や、光ディスク２を排出する際に押圧されるイジェクトボタン２３が設けられている。
【００２７】
次いで、ディスク搬送機構４について説明する。ディスク搬送機構４は、光ディスク２を外筐体３のディスク挿脱口２１から光ディスク２が挿脱されるディスク挿脱位置と、ディスク装着部２７のターンテーブル２８に光ディスク２が装着されるディスク装着位置との間に亘って光ディスク２を搬送するものである。このディスク搬送機構４は、ボトムケース１０の底面部１４に設けられ、外筐体３のディスク挿脱口２１近傍に配設され光ディスク２を搬送する搬送ローラ３０と、搬送ローラ３０を昇降操作することにより光ディスク２と接離させるローラ昇降機構３１と、光ディスク２がディスク装着位置に搬送されたことを検出するディスク搬送検出機構３２とを備える。
【００２８】
搬送ローラ３０は、図４に示すように、光ディスク２に当接しディスク挿脱位置とディスク装着位置とに亘って搬送するローラ本体３３と、ローラ本体３３を回転自在に支持する支持板３４とを備える。
【００２９】
ローラ本体３３は、軸部３３ａと軸部３３ａの外周部に設けられ光ディスク２を搬送するローラ部３３ｂとを有する。軸部３３ａは、支持板３４にその両端部を回転自在に支持されることにより外筐体３の前面側に配置されている。また軸部３３ａは、図４に示すように、大径の光ディスク２Ｌの直径よりも短い、ボトムケース１０の底面部１４の幅と略同一の長さとされている。これにより、ローラ本体３３は、一側面１０ａ側に底上げされたデッキ部１５が形成されたボトムケース１０の底面部１４に配置することができる。
【００３０】
また、軸部３３ａは、ボトムケース１０の他側面１０ｂ側の端部に、ローラ本体３３を回転駆動させる駆動モータ１９の駆動力を伝えるローラギア３５が設けられている。ローラギア３５は、後述する第１のギア列４５を介して駆動モータ１９と連結され、駆動モータ１９が回転されることにより軸部３３ａと一体に回転される。
【００３１】
また、軸部３３ａの外周部に設けられているローラ部３３ｂは、光ディスク２の下面部と当接されるとともに軸部３３ａと一体に回転駆動されることにより、摩擦による駆動力で光ディスク２をディスク挿脱位置とディスク装着位置との間に亘って搬送する。
【００３２】
このローラ本体３３を回転自在に支持する支持板３４は、略矩形状に形成され、長手方向の長さをローラ本体３３の軸部３３ａと略同一に形成され、ローラ本体３３とともにボトムケース１０の底面部１４側に配置されている。支持板３４は、長手方向と直交する一対の側面部３４ａ，３４ｂには、背面側にローラ本体３３の軸部３３ａを支持する一対の軸受部３７，３７が設けられ、前面側に支持板３４をボトムケース１０の側壁に回転自在に支持させる支持ピン３６，３６が突設されている。支持板３４は、この軸受部３７，３７によって軸部３３ａを回転自在に支持している。また、支持板３４は、支持ピン３６，３６がボトムケース１０の両側面部１０ａ，１０ｂに立ち上がり形成された側壁に挿通支持されることにより、この支持ピン３６，３６を回動支点にしてローラ本体３３を光ディスク２の下面より接離させる図６中矢印Ｚ１方向及びＺ２方向に昇降自在とされている。
【００３３】
支持板３４は、一側面部３４ｂから前面側の側面にかけて、後述するディスクセンタリング機構７の回動アーム１１６に設けられ光ディスク２が当接される当接部１１５が移動する移動用スリット３８が形成されている。また支持板３４は、光ディスク２の下面と摺接される上面に、光ディスク２への傷つきを防止する不織布３９が両面テープ等により貼着されている。さらに支持板３４は、下面に、後述するローラ昇降機構３１と係合し搬送ローラ３０を駆動モータ１９と切り離した位置に保持するロックピン４０が突設されている。ロックピン４０は、ボトムケース１０の底面部１４側に延設され、先端部にディスクの搬送に応じて駆動モータ１９と連結されスライドされるスライドカム４４のカム部と係合する係合フランジ４０ａが形成されている。スライドカム４４については後述する。また、支持板３４は、下面側にボトムケース１０の底面部１４に配設されたコイルバネ４１の一端が当接され、常時、搬送ローラ３０を光ディスク２に当接させる図６中矢印Ｚ２方向へ回動付勢されている。
【００３４】
駆動モータ１９とローラ本体３３の軸部３３ａとを連結させる第１のギア列４５は、図６に示すように、駆動モータ１９の回転軸１９ａと係合する第１の歯車４５ａと、第１の歯車４５ａの回転をローラ本体３３の軸部３３ａに設けられたローラギア３５に伝える第２の歯車４５ｂとを有する。第１のギア列４５は、搬送ローラ３０の支持板３４がコイルバネ４１に付勢されローラ本体３３が図６中矢印Ｚ２方向へ回動付勢されることにより、第２の歯車４５ｂとローラギア３５とが係合し、駆動モータ１９の回転力を軸部３３ａへ伝達してローラ本体３３を回転駆動させる。
【００３５】
搬送ローラ３０を光ディスク２と接触させまた離間させるローラ昇降機構３１は、支持板３４に突設されているロックピン４０と係合するスライドカム４４と、スライドカム４４と駆動モータ１９とを連結させる第２のギア列４６とを備える。
【００３６】
スライドカム４４は、ローラ本体３３の下側に配置され、ボトムケース１０の底面部１４を移動自在とされている。スライドカム４４は、図７及び図８（ａ）（ｂ）に示すように、主面部にボトムケース１０の底面部１４から突設されているガイド軸４７が挿通される複数のガイドスリット４８が設けられている。ガイドスリット４８は、スライドカム４４の長手方向に沿って開口された長孔形状をなし、スライドカム４４は、このガイドスリット４８に挿通されたガイド軸４７にガイドされてボトムケース１０を両側面部１０ａ，１０ｂ側の横方向に移動可能とされる。
【００３７】
スライドカム４４は、ボトムケース１０の前面側の側面部に上記搬送ローラ３０の支持板３４に突設されたロックピン４０と係合されるカム部５０が形成されている。カム部５０は、図８（ｂ）に示すように、ボトムケース１０の一側面部１０ａ側の端部から他側面部１０ｂ側に向かって上面側が張り出し形成された上側水平面部５０ａと、上側水平面部５０ａから他側面部１０ｂ側に向かって下降する傾斜面部５０ｂと、傾斜面部５０ｂからさらに他側面部１０ｂ側に向かって下面側が張り出し形成された下側水平面部５０ｃが形成されている。このカム部５０は、支持板３４のロックピン４０の先端部に設けられた係合フランジ４０ａが係合され、スライドカム４４がボトムケース１０の他側面部１０ｂ側から一側面部１０ａ側へ移動されるにつれて係合フランジが４０ａが上側水平面部５０ａから傾斜面部５０ｂを介して下側水平面部５０ｃへ移動する。したがって、カム部５０は、スライドカム４４の移動に応じて、係合フランジ４０ａが突設された支持板３４を、コイルバネ４１の付勢力に対抗して、搬送ローラ３０が光ディスク２の下面から離間する図６中Ｚ１方向へ回動させることができる。
【００３８】
また、スライドカム４４は、ボトムケース１０の背面側の側面部に駆動モータ１９からの駆動力を伝達する第２のギア列４６が係合するラック部５１が形成されている。ラック部５１は、駆動モータ１９と係合された第２のギア列４６の第２の歯車４６ｂと係合されることにより、スライドカム４４をボトムケース１０の両側面部１０ａ，１０ｂ間に亘って移動させるものである。
【００３９】
また、スライドカム４４は、後述するピックアップユニット昇降機構６の第１のリフト板９０に形成された連結孔に挿入される連結ピン４９が突設されている。スライドカム４４は、連結ピン４９を介して第１のリフト板９０と連結されることによりスライドカム４４の移動に連動して第１のリフト板９０を移動させる。
【００４０】
スライドカム４４上には、スライドカム４４に駆動モータ１９の駆動力を伝える回転リンク５２が設けられている。回転リンク５２は、図９に示すように、長手方向の一端がスライドカム４４に突設された係合ピンに係合され、支点５３を中心にスライドカム４４上に回転自在に係合されている。また、回転リンク５２は、ボトムケース１０の背面側の側面部に駆動モータ１９からの駆動力を伝達する第２のギア列４６が係合するラック部５６が形成されている。そして回転リンク５２は、支点５３の近傍に設けられたバネかけ部５４に、一端がスライドカム４４上に設けられたバネかけ部に係合された引張りコイルバネ５５の他端が係合され、この引張りコイルバネ５５の付勢力によって、支点５３を中心にして常時ラック部５６が第２のギア列４６と離間する図７中矢印Ａ方向に付勢されている。
【００４１】
また、回転リンク５２は長手方向の他端側の上面に、後述するディスク搬送検出機構３２の板バネリンク７２と係合される係合ピン５７が突設されている。回転リンク５２は、板バネリンク７２と係合されることにより、板バネリンク７２の回動に応じて引張りコイルバネ５５の付勢力に対抗してラック部５６が第２のギヤ列４６と係合する図７中反矢印Ａ方向へ回動され、駆動モータ１９の駆動力を受けてボトムケース１０の一側面１０ａ側へ移動される。なお、回転リンク５２の下面には、ボトムケース１０の底面部１４に立ち上がり形成された回動壁５８に摺接されることにより引張りコイルバネ５５による図７中矢印Ａ方向へ付勢力に対抗して回転リンク５２を図７中反矢印Ａ方向へ回動させる回動ピン５９が突設されている。
【００４２】
ここで、回動壁５８は、図１３及び図１４に示すように、ボトムケース１０の他側面１０ｂ側から一側面１０ａ側にかけて緩やかに背面側へ後退していくカム形状とされ、スライドカム４４の一側面１０ａ側への移動によって回動ピン５９が同方向へ摺動されることにより、回転リンク５２を反矢印Ａ方向へ回動させる。
【００４３】
スライドカム４４と駆動モータ１９とを連結させる第２のギア列４６は、図７に示すように、駆動モータ１９の回転軸１９ａと係合する第１の歯車４６ａと、第１の歯車４６ａの回転をスライドカム４４のラック部５１及び回転リンク５２のラック部５６に伝える第２の歯車４６ｂとを有する。第２のギア列４６は、回転リンク５２が図７中反矢印Ａ方向へ回転されることにより、第２の歯車４６ｂがラック部５６と係合し、回転リンク５２をボトムケース１０の一側面部１０ａ側へ搬送する。また、第２のギア列４６は、第２の歯車４６ｂがスライドカム４４のラック部５１と係合することによりスライドカム４４を一側面部１０ａ側へ搬送する。
【００４４】
光ディスク２がディスク装着位置に搬送されたことを検出するディスク搬送検出機構３２は、光ディスク２の側面が当接されることによりディスク装着位置へ光ディスク２が搬送されたことを検出するトリガー板７０と、トリガー板７０の回動を上記回転リンク５２へ伝えるスライドリンク７１と、スライドリンク７１と回転リンク５２とを連結する板バネリンク７２とを備える。
【００４５】
トリガー板７０は、図７に示すように、ボトムケース１０の一側面１０ａ側に設けられ、ディスク装着位置に搬送された光ディスク２の挿入端側の側面が当接されるように、光ディスク２の搬送領域に一部が臨まされている。このトリガー板７０は、光ディスク２が光ピックアップユニット５のターンテーブル２８に装着されるディスク装着位置に搬送されたことを検出するものであり、図１０に示すように、光ディスク２の側面部が当接される側壁７５と、スライドリンク７１の係合凸部８０と係合する係合溝７６と、後述する光ディスク２の背面側の搬送位置を決めるストッパアーム１１１ａのストッパピン１３２ａが挿通される挿通孔７７が形成されている。また、トリガー板７０は、挿通孔７７の近傍に係合孔７８が穿設され、挿入された光ディスク２の径に応じて移動する移動プレート１１２上に突設された係合ピンが挿通されることにより、移動プレート１１２に回転自在に支持されている。
【００４６】
このトリガー板７０は、側壁７５にチャッキング位置近傍へ搬送された光ディスク２が当接されることにより、光ディスク２に押圧され、係合孔７８を中心に図７中矢印Ｂに示す方向へ回動される。また、係合溝７６は、スライドリンク７１に凸設された係合凸部８０が挿通されているため、光ディスク２に側壁７５が押圧されることによってトリガー板７０が図７中矢印Ｂ方向へ回転されると、係合溝７６とともに係合凸部８０ボトムケース１０の前面側へ回動される。なお、ストッパアーム１１１ａのストッパピン１３２ａが挿通される挿通孔７７は、光ディスク２の径の大きさに応じて移動するストッパアーム１１１ａの可動範囲に対応して開口されている。
【００４７】
トリガー板７０と係合されるスライドリンク７１は、図１１に示すように、断面がＬ字状とされた矩形板からなり、一面７０ａを長手方向がボトムケース１０の一側面１０ａ側に沿うように配置され、他面７０ｂをボトムケース１０の底面部１４に移動可能に配置されている。このスライドリンク７１は、長手方向の一端に、トリガー板７０と係合する係合片７９が一面７０ａの側縁よりボトムケース１０のデッキ部１５側に折り曲げ形成されている。係合片７９にはトリガー板７０の係合溝７６に挿通する係合凸部８０が設けられている。また、スライドリンク７１は、長手方向の他端に板バネリンク７２と係合される係合片８１が他面７０ｂの端部より延設されている。係合片８１には板バネリンク７２の一端に凸設された係合ピンが挿通係合される係合溝８２が形成されている。
【００４８】
板バネリンク７２は、図７に示すように、ボトムケース１０の前面側に配置され、スライドリンク７１と回転リンク５２とを連結する。この板バネリンク７２は、一端にスライドリンク７１の係合溝８２に係合される係合ピン８４が凸設され、他端に回転リンク５２の他端側の上面に突設された係合ピン５７が挿通される長孔８５が形成されている。そして板バネリンク７２は、係合ピン８４と長孔８５との略中間部に回転穴８６が穿設され、ボトムケース１０の底面部１４に突設された回転軸が挿入されることにより、ボトムケース１０に回転自在に支持される。
【００４９】
このディスク搬送検出機構３２は、図７に示すように、スライドリンク７１が、一端をボトムケース１０の底面部１４に切り起こされた係止部に係止されたコイルバネ８３の他端部が他面７０ｂに係止され、常時、ボトムケース１０の背面側である図７中矢印Ｃ方向へ付勢されている。スライドリンク７１が背面側に付勢されることにより、係合凸部８０と係合しているトリガー板７０も、側壁７５が光ディスク２の搬送領域に位置する図７中反矢印Ｂ方向へ回動付勢されている。また、スライドリンク７１が背面側に付勢されることにより、係合溝８２に係合している板バネリンク７２は、回転穴８６を中心に図７中矢印Ｄ方向へ回動される。これにより、板バネリンク７２と連結されている回転リンク５２は、上述した引張りコイルバネ５５の付勢力と共に、支点５３を中心にラック部５６が第２のギア列４６の第２の歯車４６ｂと離間する図７中矢印Ａ方向へ回動付勢される。
【００５０】
またディスク搬送検出機構３２は、光ディスク２が外筐体３内に挿入され、ディスク装着位置付近まで搬送されると、トリガー板７０が光ディスク２に押圧され係合孔７８を中心に図７中矢印Ｂ方向に回動される。これにより、トリガー板７０の係合溝７６に係合する係合凸部８０がボトムケース１０の前面側へ回動され、スライドリンク７１もボトムケース１０の前面側である図７中反矢印Ｃ方向へ移動される。スライドリンク７１が前面側に移動すると、板バネリンク７２は回転穴８６を支点に反矢印Ｄ方向へ回動され、引張りコイルバネ５５の付勢力に対抗して回転リンク５２を図７中反矢印Ａ方向へ回動させる。これにより回動リンク５２は、ラック部５６と第２のギア列４６の第２の歯車４６ｂとが噛み合い、駆動モータ１９の駆動力を受けてボトムケース１０の一側面１０ａ側へ移動される。そして、回転リンク５２に続いてスライドカム４４がボトムケース１０の一側面１０ａ側に移動されることにより、スライドカム４４のラック部５１と第２の歯車４６ｂとが噛み合い、スライドカム４４が一側面１０ａ側に移動される。
【００５１】
また、回転リンク５２は、スライドカム４４と共に一側面１０ａ側にスライドされていくと、下面に凸設された回動ピン５９がボトムケース１０の底面部１４に立ち上がり形成された回動壁５８に摺接されることにより、さらに図７中反矢印Ａ方向へ回動される。これにより板バネリンク７２、スライドリンク７１が連動され、トリガー板７０が側壁７５と光ディスク２の側面とが離間する図７中矢印Ｂへ回動される。詳しくは後述する。
【００５２】
このようなディスク搬送機構４は、光ディスク２が外筐体３内に挿入される前においては、スライドカム４４がボトムケース１０の他側面部１０ｂ側に移動されているため、コイルバネ４１に付勢されている支持板３４は、ロックピン４０がカム部５０の上側水平面部５０ａ側に当接され図６中矢印Ｚ２方向へ回動されている。したがって、ローラ本体３３は、軸部３３ａに設けられたローラギア３５が第１のギア列４５の第２の歯車４５ｂと連結されるとともに、ローラ部３３ｂが光ディスク２の搬送領域上に臨まされている。また、スライドカム４４は、ボトムケース１０の他側面部１０ｂ側に移動されることにより、ラック部５１と第２のギヤ列４６の第２の歯車４６ｂとの係合が外れている。このとき、回転リンク５２も引張りコイルバネ５５に付勢され、ラック部５６が第２のギヤ列４６の第２の歯車４６ｂと離間する図７中矢印Ａ方向へ回転されている。
【００５３】
また、スライドリンク７１がコイルバネ８３によりボトムケース１０の背面側である図７中矢印Ｃ方向へ付勢されることにより、トリガー板７０は側壁７５が光ディスク２の搬送領域に位置される図７中反矢印Ｂ方向へ回動され、板バネリンク７２は回転リンク５２を第２のギア４６の第２の歯車４６ｂと離間させる図７中矢印Ｄ方向へ回動されている。
【００５４】
そして、光ディスク２が挿入されると、図１２に示すように、光ディスク２の搬送領域上に臨まされているローラ本体３３が光ディスク２に押圧され、支持板３４が図６中矢印Ｚ１方向へ回動される。支持板３４が図６中Ｚ１方向へ回動されると、支持板３４の下側に設けられている回動検出スイッチ８７が支持板３４に押圧されて光ディスク２が挿入されたことが検出され、駆動モータ１９が回転駆動する。駆動モータ１９が回転駆動することにより、ローラギア３５と連結されている第１のギア列４５を介して駆動モータ１９の回転がローラ本体３３の軸部３３ａに伝達され、ローラ本体３３が光ディスク２を外筐体３の背面側へ引き込む方向へ回転する。これにより光ディスク２は、トップカバー１１の内側を摺動しながら引き込まれていく。なお、このとき回転リンク５２のラック部５６と第２のギア列４６の第２の歯車４６ｂとは離間され、スライドカム４４はボトムケース１０の他側面１０ｂ側に位置されている。また、光ピックアップユニット５は、ターンテーブル２８の係合突部２８ａが光ディスク２と干渉することを防止するため、後述するピックアップユニット昇降機構６によって光ディスク２の搬送領域から退避されている。
【００５５】
図１３に示すように、光ディスク２の中心孔２ａと光ピックアップユニット５のターンテーブル２８の中心がほぼ一致するディスク装着位置まで搬送すると、トリガー板７０の側壁７５に光ディスク２の挿入端側の側面が当設し、トリガー板７０を図７中矢印Ｂ方向へ押圧する。これによりトリガー板７０とともに係合溝７６に係合されているスライドリンク７１の係合凸部８０がボトムケース１０の前面側へ回動され、スライドリンク７１がコイルバネ８３の付勢力に対抗してボトムケース１０の前面側である図７中反矢印Ｃ方向へ移動する。スライドリンク７１が前面側に移動すると、板バネリンク７２は回転穴８６を支点に反矢印Ｄ方向へ回動され、引張りコイルバネ５５の付勢力に対抗して回転リンク５２を支点５３を中心に図７中反矢印Ａ方向へ回動させる。
【００５６】
これにより回転リンク５２のラック部５６と第２のギア列４６の第２の歯車４６ｂとが係合する。そして、回転リンク５２が駆動モータ１９の駆動力を受けてボトムケース１０の一側面１０ａ側へ搬送されると、続いてスライドカム４４のラック部５１が第２の歯車４６ｂと係合し、駆動モータ１９の駆動力を受けて一側面１０ａ側へ搬送される。スライドカム４４の搬送に伴い、カム部５０の上側水平面部５０ａに当接されていた支持板３４のロックピン４０は、係合フランジ４０ａがカム部５０の傾斜面部５０ｂから下側水平面部５０ｃへ摺動される。したがって、支持板３４は、コイルバネ４１の付勢力に対抗して図６中矢印Ｚ１方向へ回動され、ローラ本体３３の軸部３３ａに設けられたローラギア３５と第１のギア列４５の第２の歯車４５ｂとの係合が解除されるとともに、ローラ部３３ｂも光ディスク２の下面より離間する。これにより、ローラ本体３３は、駆動モータ１９からの駆動力が伝達されなくなり、光ディスク２の搬送を停止する。
【００５７】
なお、このとき、光ピックアップユニット５は、スライドカム４４の移動に連動してピックアップユニット昇降機構６により上昇され、ターンテーブル２８に形成された係合突部２８ａに光ディスク２の中心孔２ａが係合されることにより、光ディスク２がチャッキングされる。光ピックアップユニット５の昇降動作及び光ディスク２のチャッキング動作については後に詳述する。また、光ディスク２を排出する場合には、上述と逆の動作によって光ディスク２を外筐体３の前面側に搬送する。
【００５８】
以上のように、本発明が適用されたディスクドライブ装置１においては、搬送ローラ３０を用いて光ディスク２をディスク装着位置へ搬送するものであり、光ディスク２の挿入端がローラ本体３３上に挿入されると引き込みが開始される。したがって、大径又は小径の光ディスク２の何れを挿入した場合においても、従来の揺動方式がディスク径の半分以上を装置本体内に挿入しなければ自動引き込みを開始しないのに対して、図１４に示すように、ディスク径の半分以下の挿入で足り、使用者の使い勝手がよく、また使用者によってディスク搬送方向に対して光ディスク２が傾いて挿入される危険が少なく、光ディスク２と装置本体内の構成部材との接触やディスク表面の傷つきを防止することができる。
【００５９】
また、ディスク搬送機構４の搬送ローラ３０は、大径の光ディスク２Ｌの直径よりも短く形成されているため、ディスクドライブ装置１の外筐体３全体の小型化を図ることができ、また、他の構成部材を配置するスペースを確保することができる。
【００６０】
ついで、ディスク装着位置に搬送された光ディスク２をチャッキングするとともに、この光ディスク２に対して情報信号の記憶及び／又は再生を行う光ピックアップユニット５について説明する。光ピックアップユニット５は、図１５に示すように、ディスク挿脱口２１から外筐体３の内部に挿入された光ディスク２が装着されるディスク装着部２７と、このディスク装着部２７に装着された光ディスク２を回転駆動するディスク回転駆動機構６０と、このディスク回転駆動機構６０により回転駆動される光ディスク２に対して情報信号の記録及び／又は再生を行う光学ピックアップ６１と、この光学ピックアップ６１を光ディスク２の内外周に亘って送り操作するピックアップ送り機構６２とを有し、これらがベースフレーム６３に一体に設けられている。
【００６１】
この光ピックアップユニット５は、図４、図７に示すように、ベースフレーム６３が、ボトムケース１０の底面部１４においてディスク装着部２７が略中央に位置するように、ボトムフレーム１０の他側面１０ｂと背面壁との間のコーナ部にかけて配置されている。また、この光ピックアップユニット５は、後述するピックアップユニット昇降機構６によって昇降可能とされており、初期状態において、図１２に示すように、ディスク挿脱口２１から外筐体３の内部に挿入される光ディスク２の搬送領域よりも下方に位置している。
【００６２】
ベースフレーム６３は、板金を所定の形状に打ち抜き、その周囲を僅かに下方に折り曲げて形成されている。ベースフレーム６３の主面には、後述するディスク装着部２７のターンテーブル２８を上方へと臨ませる略半円状のテーブル用開口部６３ａと、後述する光学ピックアップ６１の対物レンズ６１ａを上方へと臨ませる略矩形状のピックアップ用開口部６３ｂとが連続して形成されている。
【００６３】
また、ベースフレーム６３は、ボトムフレーム１０の他側面１０ｂと対向する側面に凸部６３ｃが設けられ、該他側面１０ｂにこの凸部６３ｃを中心として回転可能に挿通支持されている。また、ベースフレーム６３は、ボトムフレーム１０の背面壁と対向する側面にタブ６３ｄが設けられ、該インシュレータを介してボトムケース１０の底面部１４にビス止めされている。これによりベースフレーム６３は、ディスク装着部２７側を自由端としてボトムフレーム１０を回動自在とされている。
【００６４】
さらに、ベースフレーム６３は、ディスク装着部２７側の両側面部に後述するピックアップユニット昇降機構６のリフト板９０，９１と係合する支軸６５，６６が突設されている。ベースフレーム６３は、これら支軸６５，６６がリフト板９０，９１に形成されたカムスリット９４，９８に挿通されると共に上下方向にガイドされることにより、ディスク装着部２７を光ディスク２の搬送領域より退避させるチャッキング解除位置、ディスク装着位置に搬送された光ディスク２をディスク装着部２７にチャッキングさせるチャッキング位置及び、光ディスク２に対して情報信号の記録又は再生を行う中間位置との間で昇降操作される。
【００６５】
ディスク装着部２７は、光ディスク２を装着するとともにディスク回転駆動機構６０により回転駆動されるターンテーブル２８を有し、このターンテーブル２８の中心部には、光ディスク２の中心孔２ａに係合される係合突部２８ａと、この係合突部２８ａに係合された光ディスク２の中心孔２ａの周囲を係止する複数の係止爪２８ｂとが設けられ、光ディスク２をターンテーブル２８上に保持する。
【００６６】
ディスク回転駆動機構６０は、光ディスク２をターンテーブル２８と一体に回転駆動する扁平状のスピンドルモータ６０ａを有し、このスピンドルモータ６０ａは、上面部に設けられたターンテーブル２８がベースフレーム６３のテーブル用開口部６３ａから僅かに突出するように、支持板６０ｂを介してベースフレーム６３の下面にネジ止めにより取り付けられている。
【００６７】
光学ピックアップ６１は、光源となる半導体レーザから出射された光ビームを対物レンズ６１ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。また、この光学ピックアップ６１は、対物レンズ６１ａを当該対物レンズ６１ａの光軸と平行なフォーカッシング方向と当該対物レンズ６１ａの光軸方向と直交するトラッキング方向とに変位駆動する二軸アクチュエータを有し、上述した光検出器により検出された光ディスク２からの検出信号に基づいて、光ディスク２に対する対物レンズ６１ａのフォーカシング制御及びトラッキング制御を行うようになされている。
【００６８】
ピックアップ送り機構６２は、光学ピックアップ６１が搭載されたピックアップベース６７と、このピックアップベース６７を光ディスク２の半径方向にスライド可能に支持する一対のガイド軸６８ａ，６８ｂと、これら一対のガイド軸６８ａ，６８ｂに支持されたピックアップベース６７を光ディスク２の半径方向に駆動する駆動モータ６９とを有している。
【００６９】
一対のガイド軸６８ａ，６８ｂは、ベースフレーム６３の下面に光ディスク２の半径方向と互いに平行となるように配置されており、ベースフレーム６３のピックアップ用開口部６３ｂから対物レンズ６１ａが臨むピックアップベース６７を光ディスク２の内外周に亘って案内する。
【００７０】
駆動モータ６９は、回転軸の回転運動をギヤやラック（図示せず。）を介して直線運動に変換し、ピックアップベース６７を一対のガイド軸６８ａ，６８ｂに沿った方向、すなわち光ディスク２の半径方向に変位駆動させる。なお、この光ピックアップユニット５では、初期状態において、光学ピックアップ６１が半径方向の外周側に位置している。
【００７１】
次いで、ピックアップユニット昇降機構６について説明する。ピックアップユニット昇降機構６は、光ピックアップユニット５を上昇させて、ディスク装着位置に位置決めされた光ディスク２をディスク装着部２７のターンテーブル２８に装着するチャッキング位置と、光ピックアップユニットを下降させて、ターンテーブル２８から光ディスク２を離脱させ、また光ディスク２の搬送領域からターンテーブルを退避させるチャッキング解除位置と、光ピックアップユニット５をチャッキング位置とチャッキング解除位置との間に位置させて、光ディスク２に対する情報信号の記録又は再生を行う中間位置との間で光ピックアップユニット５を昇降操作するものである。
【００７２】
かかるピックアップユニット昇降機構６は、図７に示すように、光ピックアップユニット５のベースフレーム６３に形成された支軸６５が係合支持される第１のリフト板９０と、ベースフレーム６３に形成された支軸６６が係合支持される第２のリフト板９１とを有する。
【００７３】
第１のリフト板９０は、スライドカム４４と連結されることにより、スライドカム４４の搬送と連動してベースフレーム６３を昇降操作するものであり、図１６に示すように、ベースフレーム６３のディスク装着部２７側の側面と対向する側面９０ａには、第１のカムスリット９４が長手方向に亘って形成されている。この第１のカムスリット９４は、ベースフレーム６３を上記チャッキング解除位置に位置させるための第１の水平面部９４ａと、ベースフレーム６３を上記チャッキング位置に位置させるための頂上面部９４ｂと、ベースフレーム６３を上記中間位置に位置させるための第２の水平面部９４ｃとを有し、第１の水平面部９４ａと頂上面部９４ｂ、及び頂上面部９４ｂと第２の水平面部９４ｃとは傾斜面を介して連続されている。
【００７４】
そして、第１のカムスリット９４には、上記ベースフレーム６３の側面に形成された支軸６５が挿通され、第１のリフト板９０が移動することによって支軸６５が第１の水平面部９４ａ、頂上面部９４ｂ、第２の水平面部９４ｃと移動する。これによりベースフレーム６３は、第１のリフト板９０の移動に応じて傾きが変化し、ターンテーブル２８が昇降操作される。
【００７５】
また、第１のリフト板９０は、ボトムケース１０の底面部１４と対向する底面９０ｂには長手方向に沿ってガイド孔９５が形成されている。ガイド孔９５にはボトムケース１０の底面部１４に突設されたガイド軸が挿通される。これにより第１のリフト板９０は、ボトムケース１０の底面部１４の両側面部１０ａ，１０ｂ間に亘る移動がガイドされる。
【００７６】
また、底面９０ｂの長手方向の一端側にはスライドカム４４に突設された連結ピン４９が挿通される連結孔９６が形成されている。第１のリフト板９０は、連結孔９６を介してスライドカム４４と連結されることにより、スライドカム４４の移動に連動してボトムケース１０の底面部１４を両側面１０ａ，１０ｂ間に亘って移動する。
【００７７】
また、底面９０ｂの長手方向の他端側には第２のリフト板９１に突設された連結ピン１００が挿通され、第１のリフト板９０の動作に連動して第２のリフト板９１を操作する操作スリット９７が形成されている。操作スリット９７は、第１のリフト板９０の横方向の動きを縦方向の動きに変換するものであり、第１のリフト板９０がベースフレーム６３の支軸６５が突設された側面に沿ってボトムケース１０の両側面１０ａ，１０ｂ間に亘って移動されると、第２のリフト板９１を第１のリフト板９０の移動方向と直交するボトムケース１０の前後方向に亘って移動させる。
【００７８】
このような第１のリフト板９０と連結される第２のリフト板９１は、第１のリフト板９０と連結されることにより、第１のリフト板９０の移動に連動してベースフレーム６３を昇降操作するものであり、図１７に示すように、ベースフレーム６３のディスク装着部２７側の側面と対向する側面９１ａには、第２のカムスリット９８が長手方向に亘って形成されている。この第２のカムスリット９８は、ベースフレーム６３を上記チャッキング解除位置に位置させるための第１の水平面部９８ａと、ベースフレーム６３を上記チャッキング位置に位置させるための頂上面部９８ｂと、ベースフレーム６３を上記中間位置に位置させるための第２の水平面部９８ｃとを有し、第１の水平面部９８ａと頂上面部９８ｂ、及び頂上面部９８ｂと第２の水平面部９８ｃとは傾斜面を介して連続されている。
【００７９】
そして、第２のカムスリット９８には、上記ベースフレーム６３の側面に形成された支軸６６が挿通され、第２のリフト板９１が移動することによって支軸６６が第１の水平面部９８ａ、頂上面部９８ｂ、第２の水平面部９８ｃと移動する。これによりベースフレーム６３は、第２のリフト板９１の移動に応じて傾きが変化し、ターンテーブル２８が昇降操作される。
【００８０】
また、第２のリフト板９１は、ボトムケース１０の底面部１４と対向する底面９１ｂには長手方向に沿ってガイド孔９９が形成されている。ガイド孔９９にはボトムケース１０の底面部１４に突設されたガイド軸が挿通される。これにより第２のリフト板９１は、ボトムケース１０の底面部１４の前後方向に亘る移動がガイドされる。
【００８１】
また底面９１ｂの長手方向の一端側には第１のリフト板９０に形成された操作スリット９７に挿通される連結ピン１００が突設されている。連結ピン１００が操作スリット９７に挿通されることにより、第２のリフト板９１は第１のリフト板９０と連結され、第１のリフト板９０の移動に連動して連結ピン１００が操作スリット９７を移動することにより、ベースフレーム６３の支軸６６が突設された側面に沿ってボトムケース１０の前後方向に亘って移動される。
【００８２】
以上のようなピックアップユニット昇降機構６は、光ディスク２が外筐体３内に挿入される前においては、図７に示すように、スライドカム４４がボトムケース１０の他側面１０ｂ側へ位置されているため、スライドカム４４と連結されている第１のリフト板９０も同様にボトムケース１０の他側面１０ｂ側へ位置されている。このとき、第１のリフト板９０に設けられた第１のカムスリット９４に挿通されているベースフレーム６３の支軸６５は、第１の水平面部９４ａに位置されている。また、第１のリフト板９０がボトムケース１０の他側面１０ｂ側へ位置されることにより、第１のリフト板９０と連結されている第２のリフト板９１は、操作スリット９７に操作されてボトムケース１０の前面側に位置されている。このとき、第２のリフト板９１に設けられた第２のカムスリット９８に挿通されているベースフレーム６３の支軸６６は、第１の水平面部９８ａに位置されている。したがって、ベースフレーム６３は、図１２に示すように、光ディスク２の搬送領域より下方に退避されたチャッキング解除位置に降下され、搬送される光ディスク２とターンテーブル２８との干渉が回避されている。
【００８３】
図１３に示すように、光ディスク２が外筐体３内に挿入され、光ディスク２の中心孔２ａと光ピックアップユニット５のターンテーブル２８の中心がほぼ一致するディスク装着位置まで搬送されると、駆動モータ１９の駆動力を受けたスライドカム４４がボトムケース１０の一側面１０ａ側へ搬送される。スライドカム４４の搬送に連動して、スライドカム４４と連結されている第１のリフト板９０も、ガイド孔９５に挿通されたガイド軸にガイドされながら一側面１０ａ側へ移動される。これにより、第１のリフト板９０の第１のカムスリット９４に挿通されているベースフレーム６３の支軸６５が、第１の水平面部９４ａから傾斜部を経て頂上面部９４ｂへ移動する。また、第１のリフト板９０の移動に連動して操作スリット９７を介して連結されている第２のリフト板９１もボトムケース１０の背面側に移動される。これにより、第２のリフト板９１の第２のカムスリット９８に挿通されているベースフレーム６３の支軸６６が、第１の水平面部９８ａから傾斜部を経て頂上面部９８ｂへ移動する。したがって、ベースフレーム６３は、凸部６３ｃを回転中心として、ターンテーブル２８側が上昇される。
【００８４】
このとき、図１８に示すように、ディスク装着位置に位置決めされた光ディスク２の中心孔２ａにターンテーブル２８の係合突部２８ａが入り込みながら、トップカバー１１の天板部１１ａに形成された当接突部１３に光ディスク２の中心孔２ａの周囲が押し付けられることによって、係合突部２８ａが光ディスク２の中心孔２ａに係合されると共に、係合突部２８ａに形成された複数の係止爪２８ｂが光ディスク２の中心孔２ａの周囲を係止した状態で、光ディスク２がターンテーブル２８上に保持される。このように光ディスク２をディスク装着部２７に装着するチャッキング動作が行われる。
【００８５】
そして、光ディスク２のチャッキング動作の後、さらにスライドカム４４及び第１のリフト板９０がボトムケース１０の一側面１０ａ側に移動される。したがって、第１のカムスリット９４に挿通されているベースフレーム６３の支軸６５が、頂上面部９４ｂから傾斜部を経て第２の水平面部９４ｃへ移動する。また、第１のリフト板９０の移動に連動して、第２のリフト板９１もさらにボトムケース１０背面側に移動される。したがって、第２のカムスリット９８に挿通されているベースフレーム６３の支軸６６が、頂上面部９８ｂから傾斜部を経て第２の水平面部９８ｃへ移動する。これにより、図１９に示すように、ベースフレーム６３は、チャッキング位置とチャッキング解除位置の間の中間位置に下降され、光ディスク２はトップカバー１１に形成された当接突部１３より離間した位置に保持される。
【００８６】
光ディスク２に対する情報信号の記録又は再生が終了し、光ディスク２の排出操作が行われると、駆動モータ１９が反転されることによりスライドカム４４が一側面１０ａ側から他側面１０ｂ側へ移動される。スライドカム４４の移動に連動して、第１のリフト板９０も一側面１０ａ側から他側面１０ｂ側へ移動される。したがって、第１のカムスリット９４に挿通されているベースフレーム６３の支軸６５は、第２の水平面部９４ｃから頂上面部９４ｂを経て第１の水平面部９４ａへ移動する。また、第１のリフト板９０の移動に連動して第２のリフト板９１のボトムケース１０の背面側から前面側へ移動される。したがって、第２のカムスリット９８に挿通されているベースフレーム６３の支軸６６は、第２の水平面部９８ｃから頂上面部９８ｂを経て第１の水平面部９８ａへ移動する。これにより、ベースフレーム６３は、中間位置からチャッキング位置を経てチャッキング解除位置へ下降される。
【００８７】
ベースフレーム６３がチャッキング解除位置まで下降すると、ボトムケース１０の底面部１４より突設されている図示しない押上ピンの先端部がディスク装着部２７のターンテーブル２８に装着された光ディスク２の内周側の非信号記録領域に当接することによって、この光ディスク２を押し上げながら、光ディスク２をターンテーブル２８上から離脱する。チャッキングが解除された光ディスク２は、スライドカム４４の他側面１０ｂ側への移動に連動して図６中矢印Ｚ２方向へ回動された搬送ローラ３０により、ディスク挿脱口２１側へ搬送され、外筐体３より排出される。
【００８８】
その後、ピックアップユニット昇降機構６は、再度スライドカム４４が駆動されるまで、ベースフレーム６３をチャッキング解除位置に保持し、光ディスク２の搬送領域からターンテーブル２８を退避させながら光ディスク２の搬送を待機する。
【００８９】
次いで、光ディスク２を光ピックアップユニット５のディスク装着部２７にガイドするディスクセンタリング機構７について説明する。ディスクセンタリング機構７は、大小径の異なる光ディスク２の何れかが外筐体３内に挿入された場合に、何れの光ディスク２でも光ピックアップユニット５のターンテーブル２８にチャッキング可能なディスクチャッキング位置へガイドするものである。このディスクセンタリング機構７は、図４に示すように、光ディスク２のディスク径に応じて回動される一対の回転レバーユニット１１０と、回転レバーユニット１１０の回動量に応じて回動され光ディスク２をディスク装着位置に停止させる一対のストッパアーム１１１ａ，ｂと、回転レバーユニット１１０とストッパアーム１１１ａとを連動させる移動プレート１１２とを備える。
【００９０】
回転レバーユニット１１０は、図２０、図２１及び図２２に示すように、ボトムケース１０の前面側に設けられ、先端部にディスク挿脱口２１より挿入された光ディスク２の挿入端側側面が当接される当接部１１５が設けられた一対の回動アーム１１６，１１７と、これら一対の回動アーム１１６，１１７を連結する一対の連結アーム１１８，１１９を備える。
【００９１】
回動アーム１１６，１１７は、当接部１１５が設けられた先端と反対側の後端部に、ボトムケース１０の底面部１４に突設されている回動軸と係合される係合孔１２０が形成されている。回動アーム１１６，１１７は、係合孔１２０が回動軸に係合されることにより、係合孔１２０を支点にボトムケース１０の底面部１４上に回動自在に支持されている。また回動アーム１１６，１１７は、係合孔１２０よりさら後端側に、連結アーム１１８，１１９の先端部に穿設された連結孔１２３に挿通される連結ピン１２１が突設されている。回動アーム１１６，１１７の先端部に設けられている当接部１１５は、光ディスク２の側面が当接され背面側に押し込まれることにより回動アーム１１６，１１７を連結ピン１２１を支点に回動させるものであり、光ディスク２に押圧されながら背面側に移動される際に光ディスク２の側面を傷つけないようコロ形状とされている。
【００９２】
また、これら回動アーム１１６，１１７は、引張りコイルバネ１２２の各一端が係止され、この引張りコイルバネ１２２により、当接部１１５が互いに引き合わされる方向へ付勢されている。これにより、回動アーム１１６，１１７は、先端部に設けられた各当接部１１５が、ディスク挿脱口２１より大径及び小径何れの光ディスク２が挿入された場合にも、挿入された光ディスク２の挿入端側の側面に当接される位置に回動される。
【００９３】
また、回動アーム１１６，１１７は、ボトムケース１０の底面部１４上であって、上述した搬送ローラ３０の支持板３４の下方に配設されている。そして、回動アーム１１６は当接部１１５が、支持板３４に設けられた移動用スリット３８より支持板３４上に突出し、光ディスク２の搬送領域に臨まされている。そして、回動アーム１１６は、光ディスク２がディスク挿脱口２１に挿入されると、当接部１１５が光ディスク２の挿入端側の側面に押圧されることにより移動用スリット３８を移動して背面側に回動される。
【００９４】
なお、回動アーム１１７は、図２１に示すように、後述するストッパアーム１１１ａ，ｂを挿入された大径の光ディスク２Ｌをディスク装着部に停止させる位置に係止させておくためのストッパロックプレート１５０と係合する係合ピン１２５が突設されている。また、回動アーム１１７には、後述する移動プレート１１２を押圧操作する操作ピン１２６が突設されている。
【００９５】
一対の回動アーム１１６，１１７を連結する連結アーム１１８，１１９は、図２２に示すように、それぞれ長手方向の一端部に連結孔１２３が穿設され、回動アーム１１６，１１７に形成された連結ピン１２１が挿通されることにより回動アーム１１６，１１７にそれぞれ連結されている。また、連結アーム１１８，１１９は、それぞれ長手方向の他端部に挿通孔が設けられている。そして、当該他端部を交差させて各挿通孔を連続させるとともに同軸ピン１２４が挿通されることにより回動自在に連結されている。この連結アーム１１８，１１９を連結させる同軸ピン１２４は、ボトムケース１０の底面部１４に形成されたガイドスリット１２８に移動自在に挿通されている。
【００９６】
ガイドスリット１２８は、図１４に示すように、光ディスク２の挿入方向であるボトムケース１０の前後方向に亘って穿設されると共に、長手方向の略中間にボトムケース１０の前後方向と直交する左右方向に小径部１２８ａが形成されている。
【００９７】
このような回転レバーユニット１１０は、図２３（ａ）に示すように、光ピックアップユニット５のターンテーブル２８を中心にして光ディスク２の搬送方向に対して左右対称に一対の回動アーム１１６，１１７及び連結アーム１１８，１１９が配置されている。そして、光ディスク２がディスク挿脱口２１より挿入されると、図２３（ｂ）に示すように、回動アーム１１６，１１７の各当接部１１５が光ディスク２の側面に押圧され、係合孔１２０を支点に光ディスク２の径に応じた回動角に回動アーム１１６，１１７がボトムケース１０の背面側へ回動される。回動アーム１１６，１１７が係合孔１２０を支点に背面側へ回動されると、連結孔１２３が前面側に回動されるため、この連結孔１２３に連結されている連結アーム１１８，１１９は、同軸ピン１２４がガイドスリット１２８をボトムケース１０の前面側に移動される。ここで、回動アーム１１６，１１７は連結アーム１１８，１１９によって連結され、また各連結アーム１１８，１１９も同軸ピン１２４が挿通されることにより回動自在に連結されているため、回動アーム１１６，１１７は連動して回動される。
【００９８】
したがって、光ディスク２がターンテーブル２８を通るディスク挿脱口２１の幅方向の中心線を中心孔２ａが通るように挿入されると、図２３（ｃ）に示すように、一対の回動アーム１１６，１１７及び連結アーム１１８，１１９は同じ回動角で回動され、また連結アーム１１８，１１９の長手方向の他端部を連結させる同軸ピン１２４はボトムケース１０の底面部１４に形成されたガイドスリット１２８を長手方向の背面側端部から前面側端部まで移動する。これにより、回転レバーユニット１１０は、挿入された光ディスク２の径に応じた回動角で回動アーム１１６，１１７が回動され、光ディスク２を外筐体３内に導き入れる。
【００９９】
一方、光ディスク２がターンテーブル２８を通るディスク挿脱口２１の幅方向の中心線より左右何れかに大きく片寄せされて挿入された場合、回転レバーユニット１１０は、回動アーム１１６と回動アーム１１７の回動角度が異なり、これにより連結アーム１１８，１１９も回動角度が異なる。これにより連結アーム１１８，１１９を連結する同軸ピン１２４は、ガイドスリット１２８を長手方向に沿って進まず、左右何れかの小系部１２８ａに進入し、連結アーム１１８，１１９の移動が規制される。したがって回動アーム１１８，１１９も回動が規制され、当接部１１５に側面が当接されている光ディスク２の挿入が規制される。光ディスク２は、コロが形成されている当接部１１５によってディスク挿脱口２１の幅方向の中心線側にガイドされると、回動アーム１１６，１１７及び連結アーム１１８，１１９が同じ回動角で回動され、同軸ピン１２４がガイドスリット１２８の小系部１２８ａから前面側端部まで移動し、外筐体３内に挿入可能となる。
【０１００】
回転レバーユニット１１０の回動角度に応じて回動することにより、光ディスク２の径に対応したディスク装着位置で光ディスク２の搬送を停止させる一対のストッパアーム１１１ａ，ｂは、図２３に示すように、長手方向の一端にボトムケース１０の底面部１４に突設された係合軸に挿通される係合孔１３１ａ，１３１ｂが穿設され、この係合孔１３１ａ，ｂが係合軸に挿通されることによりボトムケース１０の底面部１４に回動自在に支持されている。また、一対のストッパアーム１１１ａ，ｂは、長手方向の他端に光ディスク２の挿入端側の側面部が当接されるストッパピン１３２ａ，１３２ｂが突設されている。
【０１０１】
ストッパピン１３２ａ，１３２ｂは、光ディスク２の搬送領域に臨まされ、ストッパアーム１１１ａ，ｂが回動されることにより、挿入された光ディスク２の径に応じたディスク装着位置に当該光ディスク２の搬送を停止させ、中心孔２ａがターンテーブル２８の係合突部２８ａの略真上に位置するように光ディスク２の位置決めを図る。また、一対のストッパアーム１１１ａ，ｂは、長手方向の略中間に後述する移動プレート１１２に係合する係合ピン１３３ａ，１３３ｂが突設されている。移動プレート１１２がディスク径に応じて移動されることにより一対のストッパアーム１１１ａ，ｂは係合孔１３１ａ，ｂを支点に回動され、ストッパピン１３２ａ，ｂが、光ディスク２の中心孔２ａがターンテーブル２８の係合突部２８ａ上に位置するように光ディスク２を停止させる位置にくる。
【０１０２】
このストッパアーム１１１ａ，ｂと回転レバーユニット１１０とを連結する移動プレート１１２は、図４、図２４に示すように、ボトムケース１０の前後方向に亘ってデッキ部１５上に延設され回転レバーユニット１１０の回動アーム１１７にスライド操作されるスライド部１４１と、スライド部１４１の背面側端部よりボトムケース１０の他端側へ延設されストッパアーム１１１ａ，ｂを回動操作する操作部１４２とを有する。
【０１０３】
スライド部１４１及び操作部１４２には、ボトムケース１０の前後方向に亘って移動プレート１１２の移動をガイドするガイド孔１４３が形成されている。ガイド孔１４３にはボトムケース１０の底面部１４及びデッキ部１５上に突設されたガイドピンが挿通され、このガイドピンがガイド孔１４３に沿って相対的に移動することにより、移動プレート１１２は、ボトムケース１０の前後方向に亘る移動がガイドされる。
【０１０４】
また、スライド部１４１には、長手方向の前面側端部に回転レバーユニット１１０の回動アーム１１７に突設された操作ピン１２６が挿通される挿通孔１４５が形成されている。移動プレート１１２は、挿通孔１４５を介して回動アーム１１７と係合されることにより、光ディスク２が挿入されると回動アーム１１７の背面側への回動に連動して、ボトムケース１０のデッキ部１５を背面側にスライドされる。
【０１０５】
またスライド部１４１と直交するボトムケース１０の横方向に延設されている操作部１４２は、長手方向に亘ってストッパアーム１１１ａ，ｂに突設された係合ピン１３３ａ，ｂが挿通される一対の係合孔１４６，１４６が穿設されている。移動プレート１１２は、係合孔１４６，１４６を介してストッパアーム１１１ａ，ｂと係合されることにより、光ディスク２が挿入されボトムケース１０の背面側にスライドされると、スライド量に応じてストッパアーム１１１ａ，ｂを回動させる。
【０１０６】
また、操作部１４２には、上記トリガー板７０を回動自在に支持する支軸１４７が突設されている。支軸１４７近傍には、支軸１４７を支点に回動するトリガー板７０の側壁７５が摺動する円弧状の摺動溝１４８が形成されている。さらに、操作部１４２は、上記ストッパアーム１１１ａのストッパピン１３２ａを光ディスク２の搬送領域に臨ませる開口溝１４９がストッパピン１３２ａの回動領域に応じて円弧状に開口されている。
【０１０７】
この移動プレート１１２のスライド部１４１上には、大径の光ディスク２Ｌが挿入された場合に、回動アーム１１７と係合することにより、ストッパアーム１１１ａ，ｂを光ディスク２の中心孔２ａがターンテーブル２８の係合突部２８ａ上に停止させる位置に保持させるためのストッパロックプレート１５０が配設されている。なお、スライド部１４１には、ボトムケース１０のデッキ部１５上に突設され、ストッパロックプレート１５０を支持する支持ピンを上方に臨ませる長孔１５１が長手方向に沿って形成されている。
【０１０８】
ストッパロックプレート１５０は、図４、図２５に示すように、長手方向の一端にボトムケース１０のデッキ部１５に突設された支持ピンが挿通される挿通孔１５５が穿設されている。ストッパロックプレート１５０は、挿通孔１５５が移動プレート１１２の長孔１５１を介して突出されている支持ピンに挿通されることにより、デッキ部１５に支持され、移動プレート１１２のスライド部１４１上を回転自在とされている。また、ストッパロックプレート１５０は、長手方向の略中間部に、一端がデッキ部１５の他側面側に係止されている引張りコイルバネ１５２の他端が係止される係止部１５３が設けられている。ストッパロックプレート１５０は、この引張りコイルバネ１５２により、挿通孔１５５を支点に図４中矢印Ｅ方向へ回動付勢されている。また、ストッパロックプレート１５０は、長手方向の他端に、搬送される光ディスク２の側面が当接される当接部１５４が形成されている。ストッパロックプレート１５０は、当接部１５４が光ディスク２の側面部に当接され、さらに光ディスク２が背面側に搬送されることにより引張りコイルバネ１５２の付勢力に対抗して図４中反矢印Ｅ方向に回動される。
【０１０９】
また、ストッパロックプレート１５０は、長手方向の他端側に、回動アーム１１７に突設されている係合ピン１２５が係止される係止凹部１５６が形成されている。係止凹部１５６は、ボトムケース１０の一側面１０ａ側が開放された略鉤状に形成され、回動アーム１１７が大径の光ディスク２Ｌに押圧されボトムケース１０の一側面１０ａ側に大きく回動されることにより、回動アーム１１７の係合ピン１２５が係合される。これにより、ストッパロックプレート１５０は、回動アーム１１７の回動を規制し、ストッパアーム１１１ａ，ｂのストッパピン１３２ａ，ｂが大径の光ディスク２Ｌをチャッキング位置に停止させる位置に保持させる。
【０１１０】
具体的に、ストッパロックプレート１５０は、図２３（ａ）に示すように、大径の光ディスク２Ｌが挿入される前においては、回転レバーユニット１１０の回動アーム１１７が引張りコイルバネ１２２によってターンテーブル２８を通るディスク挿脱口２１の幅方向の中心線方向に回動付勢され、これによりボトムケース１０の前面側にスライドされている。そして、大径の光ディスク２Ｌが挿入されると、図２３（ｂ）（ｃ）に示すように、光ディスク２の挿入端側の側面に押圧され回動アーム１１７がボトムケース１０の背面側に回動される。回動アーム１１７は、大径の光ディスク２Ｌの側面に押圧されるため、ボトムケース１０の一側面１０ａ側に大きく回動されながら背面側に移動し、係合ピン１２５がストッパロックプレート１５０の係合凹部１５６へ一側面１０ａ側の開放端より進入する。また、回動アーム１１７が背面側に移動することにより、操作ピン１２６を介して連結されている移動プレート１１２も背面側へスライドされる。移動プレート１１２が背面側へスライドされることにより、係合ピン１３３ａ，ｂを介して移動プレート１１２と係合されている一対のストッパアーム１１１ａ，ｂが係合孔１３１ａ，ｂを支点に回動され、ストッパピン１３２ａ，ｂが背面側に移動される。
【０１１１】
そして、図２３（ｄ）に示すように、大径の光ディスク２Ｌの中心孔２ａが一対の回動アーム１１６，１１７の当接部１１５，１１５を結ぶ線よりさらに背面側へ搬送されると、引張りコイルバネ１２２の付勢力によって回動アーム１１６，１１７が再度前面側へ付勢される。これにより、ストッパロックプレート１５０の係合凹部１５６に進入されている回動アーム１１７の係合ピン１２５は、係合凹部１５６の開放端と反対側へ付勢されるため、係合凹部１５６の開放端より抜けることなく係合された状態が保持される。したがって、回動アーム１１７は前面側への回動が規制され、回動アーム１１７と連結されている移動プレート１１２も背面側へスライドされた状態が保持される。これにより移動プレート１１２に係合されているストッパアーム１１１ａ，ｂは、ストッパピン１３２ａ，ｂが大径の光ディスク２Ｌをチャッキング位置に停止させる位置に保持される。なお、回動アーム１１７の前面側への回動が規制されることにより、回動アーム１１６も同様に前面側への回動が規制されている。したがって、回動アーム１１６，１１７の先端に突設された当接部１１５は光ディスク２の側面より離間した位置に保持されている。
【０１１２】
その後、図２３（ｅ）に示すように、光ディスク２は、さらに背面側に搬送されると挿入端側の側面がストッパアーム１１１ａ，ｂのストッパピン１３２ａ，ｂに当接され、光ディスク２の中心孔２ａがターンテーブル２８の係合突部２８ａのほぼ真上に位置するチャッキング位置で停止される。大径の光ディスク２Ｌの搬送が停止されると、上述した光ピックアップユニット昇降機構６によって光ピックアップユニット６が上昇され、光ディスク２の中心孔２ａにターンテーブル２８の係合突部２８が係合されることにより、チャッキングが行われる。
【０１１３】
ここで、光ディスク２がチャッキングされると、光ディスク２の側面に当接していたストッパアーム１１１ａ，ｂのストッパピン１３２ａ，ｂは、光ディスク２の側面より離間する。これは、ストッパアーム１１１ａ，ｂは、回動アーム１１７の係合ピン１２５がストッパロックプレート１５０の係止凹部１５６に係止されることにより移動プレート１１２を介して回動保持されると、ストッパピン１３２ａ，ｂが回転駆動される大径の光ディスク２Ｌより予め約１ｍｍ程度離間されるように設計されているためである。したがって、ストッパピン１３２ａ，ｂによって搬送領域の終端が規定された光ディスク２は、ターンテーブル２８の係合突部２８ａにチャッキングされることにより、ストッパピン１３２ａ，ｂから側面が離間される。
【０１１４】
また、光ディスク２の側面に押圧されることにより回動されるトリガー板７０の側壁７５も光ディスク２より離間される。これは、上述したようにトリガー板７０が光ディスク２の側面に押圧され、図７中矢印Ｂに示す方向へ回動されると、スライドリンク７１がボトムケース１０の前面側である図７中反矢印Ｃ方向へ移動され、板バネリンク７２が回転穴８６を支点に反矢印Ｄ方向へ回動され、回転リンク５２が図７中反矢印Ａ方向へ回動されスライドカム４４とともに一側面１０ａ側にスライドされる。回転リンク５２は、ボトムケース１０の一側面１０ａ側へスライドされることにより、下面に突設されている回動ピン５９がボトムケース１０の底面部１４に立ち上がり形成されている回動壁５８に摺接され、さらに図７中反矢印Ａ方向へ回動される。回転リンク５２が反矢印Ａ方向へ回動されることにより、板バネリンク７２が回転穴８６を支点にさらに反矢印Ｄ方向へ回動され、スライドリンク７１がさらにボトムケース１０の前面側である図７中反矢印Ｃ方向へ移動される。これにより、トリガー板７０は強制的に側壁７５が光ディスク２の側面から離間する矢印Ｂ方向に回動される。
【０１１５】
以上のように、ターンテーブル２８にチャッキングされた大径の光ディスク２Ｌの側面からは何れの部材も離間しているため、光ディスク２の回転駆動に際して何ら障害となるものはない。
【０１１６】
一方、係止凹部１５６は、回動アーム１１７が小径の光ディスク２Ｓに押圧されたときには、回動アーム１１７の回動角度が小さいため係合ピン１２５がボトムケース１０の一側面１０ａ側の開放端まで回動されず、係合ピン１２５と係合することがない。したがって、回動アーム１１７の回動は規制されず、小径の光ディスク２Ｓが搬送された後には再度、引張りコイルバネ１２２によってディスク挿脱口２１の幅方向の中心線方向に回動され、またストッパアーム１１１ａ，ｂの位置も光ディスク２の挿入前と変わらない。
【０１１７】
ここで、ストッパアーム１１１ａ，ｂは、光ディスク２の挿入前の初期位置において、予め小径の光ディスク２Ｓをチャッキング位置に停止させる位置に保持されているため、小径の光ディスク２Ｓをストッパピン１３２ａ，ｂに当接させることによりチャッキング位置で停止させることができる。
【０１１８】
具体的に、小径の光ディスク２Ｓが挿入される前においては、回転レバーユニット１１０の回動アーム１１７が引張りコイルバネ１２２によってターンテーブル２８を通るディスク挿脱口２１の幅方向の中心線方向に回動付勢され、これによりボトムケース１０の前面側にスライドされている。そして、小径の光ディスク２Ｓが挿入されると、図２６（ａ）（ｂ）に示すように、光ディスク２の挿入端側の側面に押圧され回動アーム１１７がボトムケース１０の背面側に回動される。回動アーム１１７は、小径の光ディスク２Ｓの側面に押圧されるため、ボトムケース１０の一側面１０ａ側に小さく回動されながら背面側に移動する。したがって、回動アーム１１７の係合ピン１２５は、ストッパロックプレート１５０の係止凹部１５６の開放端側までは回動されず、係止凹部１５６内には進入されない。
【０１１９】
そして、図２６（ｃ）に示すように、小径の光ディスク２Ｓの中心孔２ａが一対の回動アーム１１６，１１７の当接部１１５，１１５を結ぶ線よりさらに背面側へ搬送されると、引張りコイルバネ１２２の付勢力によって回動アーム１１６，１１７が再度前面側へ回動付勢され、図２６（ｄ）に示すように、光ディスク２の挿入前の初期位置に戻る。これにより、回動アーム１１７の回動に連動して背面側にスライドされていた移動プレート１１２が前面側へスライドし、初期位置へ戻される。したがって移動プレート１１２に係合されているストッパアーム１１１ａ，ｂは、ストッパピン１３２ａ，ｂが小径の光ディスク２Ｓをチャッキング位置に停止させる位置に保持される。
【０１２０】
その後、図２６（ｅ）に示すように、小径の光ディスク２Ｓは更に背面側に搬送されると挿入端側の側面がストッパアーム１１１ａ，ｂのストッパピン１３２ａ，ｂに当接され、光ディスク２の中心孔２ａがターンテーブル２８の係合突部２８ａのほぼ真上に位置するチャッキング位置で停止される。小径の光ディスク２Ｓの搬送が停止されると、上述した光ピックアップユニット昇降機構６によって光ピックアップユニット６が上昇され、光ディスク２の中心孔２ａにターンテーブル２８の係合突部２８が係合されることにより、チャッキングが行われる。
【０１２１】
ここで、小径の光ディスク２Ｓのセンタリングにおいても、上記大径の光ディスク２Ｌのセンタリングと同様に、光ディスク２がチャッキングされると、光ディスク２の側面に当接していたストッパアーム１１１ａ，ｂのストッパピン１３２ａ，ｂは、光ディスク２の側面より離間する。これは、ストッパアーム１１１ａ，ｂは、初期位置に回動されたとき、ストッパピン１３２ａ，ｂが回転駆動される小径の光ディスク２Ｓより予め約１ｍｍ程度離間されるように設計されているためである。したがって、ストッパピン１３２ａ，ｂによって搬送領域の終端が規定された光ディスク２は、ターンテーブル２８の係合突部２８ａにチャッキングされることにより、ストッパピン１３２ａ，ｂから側面が離間される。
【０１２２】
また、小径の光ディスク２Ｓの側面に押圧されることにより回動されるトリガー板７０の側壁７５も、上述した大径の光ディスク２Ｌが挿入された場合と同様に、図２７に示すように、回動壁５８を摺動して反矢印Ａ方向へ回動される回転リンク５２に、板バネリンク７２、スライドリンク７１が連動してトリガー板７０を強制的に矢印Ｂ方向に回動させることにより、光ディスク２の側面より離間される。
【０１２３】
以上のように、ターンテーブル２８にチャッキングされた小径の光ディスク２Ｓの側面からは何れの部材も離間しているため、光ディスク２の回転駆動に際して何ら障害となるものはない。
【０１２４】
また、以上のようなディスクセンタリング機構７は、ターンテーブル２８を通るディスク挿脱口２１の幅方向の中心線に対して対称に回動アーム１１６，１１７が配設されており、また、光ディスク２の中心孔２ａがほぼ当該中心線上を通るように挿入されなければ連結アーム１１８，１１９の同軸ピン１２４がガイドスリット１２８の小径部１２８ａに進入して回動アーム１１６，１１７が回動されない。したがって、光ディスク２は、当該中心線上を中心孔２ａが通るように挿入されるため、ディスク挿脱口２１から光ディスク２が挿脱されるディスク挿脱位置からターンテーブル２８に光ディスク２が装着されるディスク装着位置までほぼ直線状に搬送される。
【０１２５】
以上、本発明が適用されたディスクドライブ装置１について詳細に説明したように、このディスクドライブ装置１においては、上述したディスク搬送機構４、光ピックアップユニット５、ピックアップユニット昇降機構６、及びディスクセンタリング機構７が外筐体３のボトムケース１０側に搭載されている。また、光ディスク２を搬送ローラ３０によって搬送する方式を採用するとともにクランプ部材を用いることなく光ディスク２をターンテーブル２８へチャッキングを行うものである。したがって、外筐体の小型化、軽量化、薄型化の要求に応えることができ、例えば外筐体３の厚さを１２．７ｍｍにすることにより薄型のノートブック型パソコンのドライブベイへ装着することができる。
【０１２６】
また、ディスクドライブ装置１は、光ディスク２の装着時においては、搬送ローラ３０によって光ディスク２を自動的にディスク装着位置まで搬送してターンテーブル２８へチャッキングし、また光ディスク２の排出時においては、自動的に光ディスク２とターンテーブル２８とのチャッキングを解除して搬送ローラ３０によってディスク挿脱位置まで搬送するものであるため、操作者にとっての操作性が向上される。
【０１２７】
さらに、ディスクドライブ装置１は、例えば１２ｃｍと８ｃｍといった大小径の異なる光ディスク２のいずれにも対応するものでありながら、回転レバーユニット１１０の回動アーム１１６，１１７及びストッパアーム１１１ａ，ｂの回動によって、光ディスク２の径に応じた搬送領域の終端を設定することができ、ディスクセンタリング機構に要する部品点数を削減でき、これにより動作信頼性の向上が図られる。
【０１２８】
また、従来のディスクドライブ装置に採用されている揺動方式においては、ディスク径の半分以上を装置本体内に挿入しなければ自動引き込みを開始しないのに対して、本ディスクドライブ装置１は、図１４に示すように、ディスク径の半分以下の挿入で足り、使用者の使い勝手がよく、また使用者によってディスク搬送方向に対して光ディスク２が傾いて挿入される危険が少なく、光ディスク２と装置本体内の構成部材との接触やディスク表面の傷つきを防止することができる。
【図面の簡単な説明】
【０１２９】
【図１】本発明を適用したディスクドライブ装置が搭載されたノートブック型パソコンの外観斜視図である。
【図２】本発明を適用したディスクドライブ装置を示す外観斜視図である。
【図３】本発明を適用したディスクドライブ装置に装着される大小径の異なる光ディスクを示す平面図である。
【図４】本発明が適用されたディスクドライブ装置の内部構成を示す平面図である。
【図５】本発明が適用されたディスクドライブ装置を前面及び平面から示す図である。
【図６】ディスク搬送機構を示す側面図である。
【図７】ボトムケースの底面部１４の構成を示す平面図である。
【図８】スライドカムの外観を示す平面図及び側面図である。
【図９】回転リンクを示す平面図である。
【図１０】トリガー板を示す平面図及び側面図である。
【図１１】スライドリンクを示す平面図である。
【図１２】光ディスクが挿入された状態を示す側面図である。
【図１３】光ディスクがチャッキング位置に搬送された状態を示す平面図である。
【図１４】光ディスクの引き込み開始位置を示す図である。
【図１５】光ピックアップユニットを示す斜視図である。
【図１６】第１のリフト板を示す平面図及び側面図である。
【図１７】第２のリフト板を示す平面図及び側面図である。
【図１８】光ディスクのチャッキング動作を示す側面図である。
【図１９】光ディスクの搬送が終了した状態を示す側面図である。
【図２０】回動レバーの一方の回動アームを示す平面図及び側面図である。
【図２１】回動レバーの他方の回動アームを示す平面図及び側面図である。
【図２２】連結アームを示す平面図である。
【図２３】大径の光ディスクが挿入された場合におけるディスクセンタリング機構の動作を示す平面図である。
【図２４】移動プレートを示す平面図である。
【図２５】ストッパロックプレートを示す平面図である。
【図２６】小径の光ディスクが挿入された場合におけるディスクセンタリング機構の動作を示す平面図である。
【図２７】光ディスクの側面よりトリガー板及びストッパアームが離間する様子を示す平面図である。
【図２８】従来のスロットイン型のディスクドライブ装置におけるディスクチャッキング動作を示す断面図である。
【図２９】従来の揺動方式のディスクドライブ装置内において、光ディスクの自動引き込みを開始する位置を示す図である。
【符号の説明】
【０１３０】
１  ディスクドライブ装置、２  光ディスク、３  外筐体、４  ディスク搬送機構、５  光ピックアップユニット、６  ピックアップユニット昇降機構、７  ディスクセンタリング機構、１０  ボトムケース、１０ａ  一側面、１０ｂ  他側面、１１  トップカバー、１４  底面部、１５  デッキ部、１９  駆動モータ、２７  ディスク装着部、２８  ターンテーブル、３０  搬送ローラ、３１  ローラ昇降機構、３２  ディスク搬送検出機構、３３  ローラ本体、３４  支持板、４０  ロックピン、４４  スライドカム、５２  回転リンク、５８  回動壁、６３  ベースフレーム、７０  トリガー板、７１  スライドリンク、７２  板バネリンク、９０  第１のリフト板、９２  第２のリフト板、１１０  回転レバーユニット、１１１  ストッパアーム、１１２  移動プレート、１１６，１１７  回動アーム、１１８，１１９  連結アーム、１２４  同軸ピン、１２８  ガイドスリット、１５０  ストッパロックプレート
【図１】
2005267806.tif 000003
【図２】
2005267806.tif 000004
【図３】
2005267806.tif 000005
【図４】
2005267806.tif 000006
【図５】
2005267806.tif 000007
【図６】
2005267806.tif 000008
【図７】
2005267806.tif 000009
【図８】
2005267806.tif 000010
【図９】
2005267806.tif 000011
【図１０】
2005267806.tif 000012
【図１１】
2005267806.tif 000013
【図１２】
2005267806.tif 000014
【図１３】
2005267806.tif 000015
【図１４】
2005267806.tif 000016
【図１５】
2005267806.tif 000017
【図１６】
2005267806.tif 000018
【図１７】
2005267806.tif 000019
【図１８】
2005267806.tif 000020
【図１９】
2005267806.tif 000021
【図２０】
2005267806.tif 000022
【図２１】
2005267806.tif 000023
【図２２】
2005267806.tif 000024
【図２３】
2005267806.tif 000025
【図２４】
2005267806.tif 000026
【図２５】
2005267806.tif 000027
【図２６】
2005267806.tif 000028
【図２７】
2005267806.tif 000029
【図２８】
2005267806.tif 000030
【図２９】
2005267806.tif 000031